(57)【特許請求の範囲】
【請求項１】
すべての候補伝送パターンからなるセットに含まれる複数の候補伝送パターンを示す伝送パターン情報を受信する受信部を備え、
前記受信部は別の情報を受信し、
前記別の情報は、前記複数の候補伝送パターンのうちの１つに従って繰り返しＤ２Ｄデータ伝送を実行する期間として、サブフレーム数を示し、
前記伝送パターン情報は、無線リソース制御信号に含まれるビットマップによって示され、
前記別の情報は、前記無線リソース制御信号に含まれる情報として受信され、
前記サブフレーム数は、互いに異なる複数の数値のうちから選択され、前記複数の数値は、４０と４０よりも大きい１つ以上の数値とから構成され、
前記複数の候補伝送パターンの各々は、前記期間における前記Ｄ２Ｄデータ伝送用に設定される複数のサブフレームを示す、端末装置。
【請求項２】
すべての候補伝送パターンからなるセットに含まれる複数の候補伝送パターンを示す伝送パターン情報を端末装置に送信する送信部を備え、
前記送信部は別の情報を前記端末装置に送信し、
前記別の情報は、前記複数の候補伝送パターンのうちの１つに従って前記端末装置が繰り返しＤ２Ｄデータ伝送を実行する期間として、サブフレーム数を示し、
前記伝送パターン情報は、無線リソース制御信号に含まれるビットマップによって示され、
前記別の情報は、前記無線リソース制御信号に含まれる情報として送信され、
前記サブフレーム数は、互いに異なる複数の数値のうちから選択され、前記複数の数値は、４０と４０よりも大きい１つ以上の数値とから構成され、
前記複数の候補伝送パターンの各々は、前記期間における前記Ｄ２Ｄデータ伝送用に設定される複数のサブフレームを示す、基地局装置。
【請求項３】
端末装置によって実行される方法であって、
すべての候補伝送パターンからなるセットに含まれる複数の候補伝送パターンを示す伝送パターン情報を受信し、
別の情報を受信し、
前記別の情報は、前記複数の候補伝送パターンのうちの１つに従って繰り返しＤ２Ｄデータ伝送を実行する期間として、サブフレーム数を示し、
前記伝送パターン情報は、無線リソース制御信号に含まれるビットマップによって示され、
前記別の情報は、前記無線リソース制御信号に含まれる情報として受信され、
前記サブフレーム数は、互いに異なる複数の数値のうちから選択され、前記複数の数値は、４０と４０よりも大きい１つ以上の数値とから構成され、
前記複数の候補伝送パターンの各々は、前記期間における前記Ｄ２Ｄデータ伝送用に設定される複数のサブフレームを示す、方法。
【請求項４】
すべての候補伝送パターンからなるセットに含まれる複数の候補伝送パターンを示す伝送パターン情報を端末装置に送信し、
別の情報を前記端末装置に送信し、
前記別の情報は、前記複数の候補伝送パターンのうちの１つに従って前記端末装置が繰り返しＤ２Ｄデータ伝送を実行する期間として、サブフレーム数を示し、
前記伝送パターン情報は、無線リソース制御信号に含まれるビットマップによって示され、
前記別の情報は、前記無線リソース制御信号に含まれる情報として送信され、
前記サブフレーム数は、互いに異なる複数の数値のうちから選択され、前記複数の数値は、４０と４０よりも大きい１つ以上の数値とから構成され、
前記複数の候補伝送パターンの各々は、前記期間における前記Ｄ２Ｄデータ伝送用に設定される複数のサブフレームを示す、方法。
【発明の詳細な説明】
【発明の詳細な説明】
【０００１】
〔技術分野〕
本発明は、無線通信技術分野に関する。より具体的には、本発明は基地局、ユーザ機器および対応する方法に関する。
【０００２】
〔背景技術〕
現代の無線モバイル通信システムは、以下の２つの顕著な特徴を有する。その１つは、高速ブロードバンドである。例えば、第４世代無線モバイル通信システムでは、バンド幅が１００ＭＨｚ、下り速度が１Ｇｂｐｓに達している。もう１つは、モバイルネットワーク接続、携帯電話からの動画リクエスト、オンラインナビゲーションなどの新興産業を促進するモバイルインターオペラビリティである。この２つの特徴に関し、無線モバイル通信技術において主に超高速レートの無線伝送、エリア間の干渉抑制、移動中の信号伝送の信頼性、分布型／集中型信号処理などのような高性能が要求されている。また、将来の増強型の第４世代（４Ｇ）および第５世代（５Ｇ）の無線モバイル通信システムにおいては、上記の発展需要を満たすために、各種のコア技術が提出、論証され、本分野の研究者から注目が集まりつつある。
【０００３】
２００７年１０月に、国際電気通信連合（ＩＴＵ）は、世界マイクロ波インターオペラビリティアクセスシステム（ＷｉＭａｘ；Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）を、４番目の３Ｇシステム規格として認定した。３Ｇ時代の終期に起きたこの出来事は、実質的に４Ｇ規格の競争戦の幕開けであった。実際に、無線ローカルエリアネットワークおよびＷｉＭａｘを代表とした無線ＩＰ技術分野の課題を対応するために、２００５年から、第３世代の３ＧＰＰ組織は、斬新なシステムアップグレード、すなわち、ロング・ターム・エボリューション（ＬＴＥ；Ｌｏｎｇ  Ｔｅｒｍ  Ｅｖｏｌｕｔｉｏｎ）の規格化作業を取り組んできた。ＬＴＥは、直交周波数分割多重技術（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）に基づく準第４世代システムであり、２００９年初に初版がリリースされ、２０１０年に次々と世界中のビジネスにおいて利用されている。それと同時に、３ＧＰＰ組織による第４世代無線モバイル通信システム（４Ｇ；ｔｈｅ  Ｆｏｕｒｔｈ  Ｇｅｎｅｒａｔｉｏｎ）の規格制定に関する作業も、２００８年の前半から始動されている。該システムは、先進のロング・ターム・エボリューション（ＬＴＥ−Ａ；Ｌｏｎｇ  Ｔｅｒｍ  Ｅｖｏｌｕｔｉｏｎ  Ａｄｖａｎｃｅｄ）と称する。当該システムの物理層プロセスのコア規格化文書は、２０１１年初に完成されていた。２０１１年１１月に、ＩＴＵ組織は、中国の重慶市で、ＬＴＥ−ＡシステムおよびＷｉＭａｘシステムを４Ｇシステムにおける２つのオフェシャル規格とすることを公表した。現在、ＬＴＥ−Ａシステムによるビジネス利用プロセスは、世界中で普及されつつある。
【０００４】
将来１０年間の挑戦として、増強型の第４世代無線モバイル通信システムに対する発展需要は、主に次の点である。
【０００５】
・より速い無線ブロンドバンドレートを実現し、セルにおける一部のホットスポットエリアを重点的に最適化する。
【０００６】
・ユーザ体験をさらに向上させ、特にセルの境界エリアの通信サービスを最適化する。
【０００７】
・使用可能な周波数スペクトルに１０００倍の拡張が不可能であることを考慮し、周波数スペクトルの利用効率を向上させる新技術を引続き研究する必要がある。
【０００８】
・より広い通信帯域を獲得するためには、高周波帯の周波数スペクトル（５ＧＨｚまたはそれ以上）の導入が必須である。
【０００９】
・データストリーミング量を分担するために、現有のネットワーク（２Ｇ／３Ｇ／４Ｇ、ＷＬＡＮ、ＷｉＭａｘなど）が協働する。
【００１０】
・異なる業務、応用およびサービスに応じて特定の最適化を行う。
【００１１】
・大規模な機器通信性能をサポートするシステムの能力を増強する。
【００１２】
・柔軟的、スマート、且つ低価なネットワークを設計、構築する。
【００１３】
・ネットワークの消費電力およびユーザ装置の電池消費の節約のために勘案する。
【００１４】
上記の発展需要を実現するために、第３世代モバイル通信パートナ・プロジェクト（３ＧＰＰ）組織は、第５８回全体会議を開き、デバイス・トゥ・デバイス（Ｄ２Ｄ）通信技術を増強型の第４世代無線モバイル通信システムのコア技術とすることを可決した。
【００１５】
Ｄ２Ｄ技術は、コアネットワークに接続せずに、ローカル通信や、対等のピア・トゥ・ピア（Ｐ２Ｐ）通信を実現することができる。Ｄ２Ｄ技術による伝送方式を採用すれば、基地局の負荷の軽減、モバイル端末の電池持続時間の延長に十分な効果が期待できる。通常、Ｄ２Ｄ伝送を適用したユーザ機器（以下、Ｄ２Ｄユーザ機器と称する）が存在する環境がマイクロ基地局にカバーされているか否かに応じて、Ｄ２Ｄユーザ機器の使用場面を、ネットワークにカバーされている場合と、ネットワークにカバーされていない場合と、ネットワークに部分的にカバーされる場合とに分けることができる。なお、ネットワークによる部分的カバーとは、ネットワークにカバーされているＤ２Ｄユーザ機器と、ネットワークにカバーされていないＤ２Ｄ機器とが同時に含まれる場合を指す。
【００１６】
現在、Ｄ２Ｄ通信、特に基地局にカバーされているＤ２Ｄ通信について、３ＧＰＰは、物理ダウンリンク制御チャネル（ＰＤＣＣＨ）および増強型の物理ダウンリンク制御チャネル（ＥＰＤＣＣＨ）を用いて、Ｄ２Ｄスケジューリング割当（ＳＡ）およびＤ２Ｄデータ（ＤＡＴＡ）に対応するＤ２Ｄグラント情報（Ｇｒａｎｔ）を伝送すると定義している。Ｄ２Ｄユーザ機器（ＵＥ）は、グラント情報を受信した後、該グラント情報に基づき、対応するＤ２Ｄスケジューリング割当およびＤ２Ｄデータを他のＤ２Ｄ  ＵＥに送信することができる。しかし、どのリソース（時間−周波数リソース）において、Ｄ２Ｄスケジューリング割当およびＤ２Ｄデータを伝送すべきか、ＵＥは知らない。
【００１７】
したがって、Ｄ２Ｄスケジューリング割当およびＤ２ＤデータをＵＥが送信するために用いられるリソースを制御する新たなスキーマが必要である。
【００１８】
〔発明の内容〕
本発明の目的は、Ｄ２Ｄスケジューリング割当およびＤ２ＤデータをＤ２Ｄユーザ機器（ＵＥ）が送信するために用いられるリソースを制御する基地局、ユーザ機器および対応する方法を提供することである。
【００１９】
本発明の第一態様によれば、基地局に対応する方法であって、すべての候補伝送パターンからなるセット内における、ＵＥがＤ２ＤデータをＤ２Ｄデータ用タイミングウィンドウ内において伝送するために使用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報とを含むリソース設定情報を、ＵＥに送信するステップを含む方法を提供する。
【００２０】
実施例において、伝送パターンインデックス、スケジューリング割当タイミングウィンドウ情報、データタイミングウィンドウ情報は、無線リソース制御（ＲＲＣ）シグナリングによって搬送される。
【００２１】
本発明の第二態様によれば、すべての候補伝送パターンからなるセット内における、ＵＥがＤ２ＤデータをＤ２Ｄデータ用タイミングウィンドウ内において伝送をするために使用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報とを含むリソース設定情報を、ＵＥに送信する送信ユニットを含む基地局を提供する。
【００２２】
以上の第一態様に係る方法の実施例は基地局にも適用可能である。
【００２３】
本発明の第三態様によれば、ユーザ機器（ＵＥ）に対応する方法であって、すべての候補伝送パターンからなるセット内における、ＵＥがＤ２ＤデータをＤ２Ｄデータ用タイミングウィンドウ内において伝送するために利用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報と、を含むリソース設定情報を、基地局から受信するステップを含む方法を提供する。
【００２４】
実施例において、伝送パターンインデックス、スケジューリング割当タイミングウィンドウ情報、データタイミングウィンドウ情報は、無線リソース制御（ＲＲＣ）シグナリングによって搬送される。
【００２５】
本発明の第四態様によれば、すべての候補伝送パターンからなるセット内における、ＵＥがＤ２ＤデータをＤ２Ｄデータ用タイミングウィンドウ内において伝送するために使用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報とを含むリソース設定情報を、基地局から受信する受信ユニットを含むユーザ機器（ＵＥ）を提供する。
【００２６】
以上の第三態様に係る方法の実施例はＵＥにも適用可能である。
【００２７】
本発明の実施例によれば、基地局は、すべての候補伝送パターンからなるセット内における、ＵＥがＤ２ＤデータをＤ２Ｄデータ用タイミングウィンドウ内において伝送するために使用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報とを含むリソース設定情報を、ＵＥに送信する。以上のように、本発明は、Ｄ２Ｄスケジューリング割当およびＤ２ＤデータをＵＥが送信するために用いられるリソースを制御するスキームを提供する。
【００２８】
〔図面の簡単な説明〕
以下、図面を用いて本発明の好ましい実施例を説明することにより、本発明の上記および他の目的、特徴、優れた点はさらに明らかになる。
【００２９】
図１は、本発明の実施例に係る基地局のブロック図である。
【００３０】
図２は、本発明の実施例に係る基地局に対応する方法のフローチャートである。
【００３１】
図３は、本発明の実施例に係るＵＥのブロック図である。
【００３２】
図４は、本発明の実施例に係るＵＥに対応する方法のフローチャートである。
【００３３】
〔具体的な実施形態〕
以下、図面および具体的な実施例を示しつつ、本発明の実施例を詳細に説明する。但し、本発明は後述する具体的な実施例に限定されるものではない。また、本発明に対する理解の混同を避けるために、便宜上、本発明と直接に関連しない公知技術の詳細な説明を省略する。
【００３４】
以下では、運用環境の一例として、ＬＴＥモバイル通信システムおよびそれ以降のエボリューション版を挙げ、本発明に係る複数の実施例を詳しく説明する。但し、本発明は下記の実施例に限定されず、他の多種の無線通信システム、例えば将来の５Ｇセルラ通信システムにも適用可能である。
【００３５】
図１は、本発明の実施例に係る基地局１００のブロック図である。図１に示すように、基地局１００は、送信ユニット１１０を含む。なお、当業者に理解されるように、基地局１００は、例えば各種のプロセッサ、メモリなど、その機能を実現するために必要な機能的ユニットをさらに含む。
【００３６】
送信ユニット１１０は、リソース設定情報をＵＥに送信する。リソース設定情報は、すべての候補伝送パターンからなるセット内における、ＵＥがＤ２ＤデータをＤ２Ｄデータ用タイミングウィンドウ内において伝送するために使用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報と、を含む。
【００３７】
一実施例として、伝送パターンインデックス、スケジューリング割当タイミングウィンドウ情報、データタイミングウィンドウ情報は、無線リソース制御（ＲＲＣ）シグナリングによって搬送される。
【００３８】
一実施例として、スケジューリング割当用タイミングウィンドウのサイズは、１０ｍｓ、２０ｍｓまたは４０ｍｓ（或いは等価の１０、２０または４０個のサブフレーム）であってもよい。
【００３９】
一実施例として、データタイミングウィンドウ情報は、Ｄ２Ｄデータを搬送する１つ又は複数のメディアアクセス制御（ＭＡＣ）プロトコルデータユニット（ＰＤＵ）をＵＥが送信するために用いられるデータ用タイミングウィンドウのサイズを示す。
【００４０】
一実施例として、データ用タイミングウィンドウのサイズは、４０ｍｓ、８０ｍｓ、１２０ｍｓ、１６０ｍｓ、２４０ｍｓまたは３２０ｍｓ（或いは等価の４０、８０、１２０、１６０、２４０または３２０個のサブフレーム）であってもよい。
【００４１】
一例において、選択してもよい構成として、基地局１００は、デバイス・トウ・デバイス（Ｄ２Ｄ）スケジューリング割当およびＤ２Ｄデータをユーザ機器（ＵＥ）が送信するために用いられるリソースを割り当てるリソース割当ユニットをさらに含む。
【００４２】
一例において、送信ユニット１１０は、リソース割当ユニットによって割り当てられたリソースを示すリソース設定情報をＵＥに送信する。前記リソース設定情報は、Ｄ２Ｄスケジューリング割当をＵＥが送信するために用いられるリソースを示すスケジューリング割当リソース指示と、Ｄ２Ｄスケジューリング割当と対応するＤ２ＤデータをＵＥが送信するために用いられるリソースを示すデータリソース指示と、を含む。
【００４３】
スケジューリング割当リソース指示は、Ｄ２Ｄスケジューリング割当をＵＥが送信するために用いられるスケジューリング割当用タイミングウィンドウのサイズを示すスケジューリング割当タイミングウィンドウ情報を含む。
【００４４】
データリソース指示は、データ用タイミングウィンドウ内においてＵＥによって送信されるＭＡＣ  ＰＤＵの数を示すデータ量指示情報を含む。一実施例として、該数は１、２、４または８である。また、該数は、基地局（例えば、エボリューションＮｏｄｅＢ  ｅＮＢ）によって明示されてもよい。代替の構成として、該数は、基地局によって明示されずに、データ用タイミングウィンドウのサイズによって間接的に示されてもよい。つまり、データ用タイミングウィンドウのサイズとＭＡＣ  ＰＤＵの数との間に、ＵＥが既に把握した所定関係が存在してもよい。例えば、ＵＥは、８０ｍｓのデータ用タイミングウィンドウを示すデータタイミングウィンドウ情報を受信した場合、ＭＡＣ  ＰＤＵの数が２であると特定できる。
【００４５】
データリソース指示は、さらに、データ用タイミングウィンドウ内においてＵＥによって送信される隣り合うＭＡＣ  ＰＤＵ同士間の間隔を示す伝送間隔情報を含む。一実施例として、該間隔は２０ｍｓ、４０ｍｓ、８０ｍｓまたは１６０ｍｓ（或いは等価の２０、４０、８０または１６０個のサブフレーム）であってもよい。
【００４６】
データリソース指示は、さらに、データ用タイミングウィンドウ内においてＵＥによって送信される各々のＭＡＣ  ＰＤＵが占用するサブフレームの数を示す伝送数情報を含む。一実施例として、当該サブフレームの数は１、２、４または８であってもよい。
【００４７】
データリソース指示は、さらに、データ用タイミング・ウィンドウ内においてＵＥによって送信される各々のＭＡＣ  ＰＤＵが占用するサブフレームの位置を示す伝送パターン情報を含む。伝送パターン情報は、後述のようにビットマップ（ｂｉｔｍａｐ）で表されてもよい。
【００４８】
一実施例において、スケジューリング割当タイミングウィンドウ情報、データタイミングウィンドウ情報、データ量指示情報、伝送間隔情報、伝送数情報および伝送パターン情報は、無線リソース制御（ＲＲＣ）シグナリングによって搬送される。
【００４９】
一実施例において、伝送間隔情報は、データ用タイミングウィンドウ内においてＵＥによって送信される隣り合うＭＡＣ  ＰＤＵ同士間の間隔を示す候補伝送間隔を、１つ又は複数含む候補伝送間隔セットを含む。候補伝送間隔セットは、例えば、｛２０、４０、８０、１２０｝（ｍｓ）または｛４０、８０、１２０、１６０｝（ｍｓ）のように４つの候補伝送間隔を含んでもよい。また、代替の構成として、候補伝送間隔セットは、例えば｛１０、２０｝（ｍｓ）、｛２０、４０｝（ｍｓ）、｛４０、８０｝（ｍｓ）または｛８０、１２０｝（ｍｓ）のように、２つの候補伝送間隔を含んでもよい。候補伝送間隔セット内の各候補伝送間隔にそれぞれインデックスが振り分けられていてもよい。この場合、伝送間隔情報は、候補伝送間隔セット内における、ＵＥが使用すべき候補伝送間隔のインデックスを示す伝送間隔インデックスをさらに含む。
【００５０】
一実施例において、伝送数情報は、データ用タイミングウィンドウ内においてＵＥによって送信される各々のＭＡＣ  ＰＤＵが占用するサブフレームの数を示す候補伝送数を、１つ又は複数含む候補伝送数セットを含む。例えば、候補伝送数セットは、｛１、２、４、８｝のように４つの候補伝送数を含んでもよい。候補伝送数セット内の各候補伝送数にそれぞれインデックスが振り分けられていてもよい。この場合、伝送数情報は、候補伝送数セット内における、ＵＥが使用すべき候補伝送数のインデックスを示す伝送数インデックスをさらに含む。
【００５１】
一実施例において、伝送パターン情報は、データ用タイミングウィンドウ内においてＵＥによって送信される各々のＭＡＣ  ＰＤＵが占用するサブフレームの位置を示す候補伝送パターンを、１つ又は複数含む候補伝送パターンセットを含む。例えば、候補伝送パターンセットは、１６個の候補伝送パターンを含んでもよい。例示として、各候補伝送パターンは４０ビットのビットマップ（ｂｉｔｍａｐ）で表されてもよい。４０ビットは、４０ｍｓ（または４０個のサブフレーム）を表し、「１」であるビットは、ＭＡＣ  ＰＤＵの占用するサブフレームの位置を表す。以下の表１において、各行は１つの候補伝送パターンを表す。
【００５２】
【表１】
0006691875.tif 000002
【００５３】
候補伝送パターンセット内の各候補伝送パターンにそれぞれインデックスが振り分けられていてもよい。この場合、伝送パターン情報は、候補伝送パターンセット内における、ＵＥが使用すべき候補伝送パターンのインデックスを示す伝送パターンインデックスをさらに含む。
【００５４】
伝送間隔インデックス、伝送数インデックスおよび伝送パターンインデックスの何れにおいても、整数で表してもよい。例えば、整数「１」は、当該セットの中の第一候補を表し、「２」は、当該セットの中の第二候補を表し、他の候補はこれによって類推すればよい。代替の構成として、伝送間隔インデックス、伝送数インデックスおよび伝送パターンインデックスの何れにおいても、１つまたは複数のビットで表してもよい。例えば、「０」、「００」、「００００」のビットは、当該セットの中の第一候補を表し、「１」、「０１」、「０００１」は当該セットの中の第二候補を表し、他の候補はこれによって類推すればよい。
【００５５】
一実施例において、スケジューリング割当タイミングウィンドウ情報、データタイミングウィンドウ情報、データ量指示情報、候補伝送間隔セット、候補伝送数セットおよび候補伝送パターンセットは、無線リソース制御（ＲＲＣ）シグナリングによって搬送される。伝送間隔インデックス、伝送数インデックスおよび伝送パターンインデックスは、下り制御情報（ＤＣＩ）フォーマット０における情報ビットによって搬送される。例えば、伝送間隔インデックス、伝送数インデックスおよび伝送パターンインデックスは、ＤＣＩフォーマット０におけるＰＤＣＣＨまたはＥＰＤＣＣＨシグナリングによってＵＥに送信されてもよい。例えば、フォーマット０に含まれるフォーマット０／フォーマット１Ａ用シンボル、ＮＤＩ、ＣＱＩ要求、ＳＲＳ要求、および、ＣＩＦビットの全部又は一部のビットによって搬送されてもよい。
【００５６】
図２は、本発明の一実施例に係る基地局に対応する方法２００のフローチャートである。なお、前記基地局１００の実施例を参照して説明したすべての特徴は、以下の方法の実施例にも適用可能である。方法２００は、前記基地局１００によって実行されてもよく、以下のステップを含む。
【００５７】
ステップＳ２１０では、リソース設定情報をＵＥに送信する。リソース設定情報は、すべての候補伝送パターンからなるセット内における、ＵＥがＤ２ＤデータをＤ２Ｄデータ用タイミングウィンドウ内において伝送するために使用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報と、を含む。
【００５８】
一実施例として、伝送パターンインデックス、スケジューリング割当タイミングウィンドウ情報、データタイミングウィンドウ情報は、無線リソース制御（ＲＲＣ）シグナリングによって搬送される。
【００５９】
一例において、選択してもよい構成として、方法２００は、デバイス・トウ・デバイス（Ｄ２Ｄ）スケジューリング割当およびＤ２Ｄデータをユーザ機器（ＵＥ）が送信するために用いられるリソースを割り当てるステップをさらに含む。
【００６０】
一例において、ステップＳ２１０では、割り当てられたリソースを示すリソース設定情報をＵＥに送信する。前記リソース設定情報は、Ｄ２Ｄスケジューリング割当をＵＥが送信するために用いられるリソースを示すスケジューリング割当リソース指示と、Ｄ２Ｄスケジューリング割当と対応するＤ２ＤデータをＵＥが送信するために用いられるリソースを示すデータリソース指示と、を含む。
【００６１】
実施例において、スケジューリング割当リソース指示は、Ｄ２Ｄスケジューリング割当をＵＥが送信するために用いられるスケジューリング割当用タイミングウィンドウのサイズを示すスケジューリング割当タイミングウィンドウ情報を含む。
【００６２】
実施例において、前記データリソース指示は、Ｄ２Ｄデータを搬送する１つ又は複数のメディアアクセス制御（ＭＡＣ）プロトコルデータユニット（ＰＤＵ）をＵＥが送信するために用いられるデータ用タイミングウィンドウのサイズを示すデータタイミングウィンドウ情報と、データ用タイミングウィンドウ内においてＵＥによって送信されるＭＡＣ  ＰＤＵの数を示すデータ量指示情報と、データ用タイミングウィンドウ内においてＵＥによって送信される隣り合うＭＡＣ  ＰＤＵ同士間の間隔を示す伝送間隔情報と、データ用タイミングウィンドウ内においてＵＥによって送信される各々のＭＡＣ  ＰＤＵが占用するサブフレームの数を示す伝送数情報と、データ用タイミングウィンドウ内においてＵＥによって送信される各々のＭＡＣ  ＰＤＵが占用するサブフレームの位置を示す伝送パターン情報と、を含む。
【００６３】
実施例において、スケジューリング割当タイミングウィンドウ情報、データタイミングウィンドウ情報、データ量指示情報、伝送間隔情報、伝送数情報および伝送パターン情報は、無線リソース制御（ＲＲＣ）シグナリングによって搬送される。
【００６４】
実施例において、前記伝送間隔情報は、データ用タイミングウィンドウ内においてＵＥによって送信される隣り合うＭＡＣ  ＰＤＵ同士間の間隔を示す候補伝送間隔を１つ又は複数含む候補伝送間隔セットと、候補伝送間隔セット内における、ＵＥが使用すべき候補伝送間隔のインデックスを示す伝送間隔インデックスと、を含む。前記伝送数情報は、データ用タイミングウィンドウ内においてＵＥによって送信される各々のＭＡＣ  ＰＤＵが占用するサブフレームの数を示す候補伝送数を１つ又は複数含む候補伝送数セットと、候補伝送数セット内における、ＵＥが使用すべき候補伝送数のインデックスを示す伝送数インデックスと、を含む。前記伝送パターン情報は、データ用タイミングウィンドウ内においてＵＥによって送信される各々のＭＡＣ  ＰＤＵが占用するサブフレームの位置を示す候補伝送パターンを１つ又は複数含む候補伝送パターンセットと、候補伝送パターンセットにおける、ＵＥが使用すべき候補伝送パターンのインデックスを示す伝送パターンインデックスと、を含む。
【００６５】
実施例において、スケジューリング割当タイミングウィンドウ情報、データタイミングウィンドウ情報、データ量指示情報、候補伝送間隔セット、候補伝送数セットおよび候補伝送パターンセットは、無線リソース制御（ＲＲＣ）シグナリングによって搬送される。伝送間隔インデックス、伝送数インデックスおよび伝送パターンインデックスは、下り制御情報（ＤＣＩ）フォーマット０における情報ビットによって搬送される。
【００６６】
図３は、本発明の実施例に係るＵＥ３００のブロック図である。図３に示すように、ＵＥ３００は、受信ユニット３１０を含む。なお、当業者に理解されるように、ＵＥ３００は、例えば各種のプロセッサ、メモリなど、その機能を実現するために必要な機能的ユニットをさらに含む。
【００６７】
受信ユニット３１０は、基地局からリソース設定情報を受信する。リソース設定情報は、すべての候補伝送パターンからなるセット内における、ＵＥがＤ２ＤデータをＤ２Ｄデータ用タイミングウィンドウ内において伝送するために使用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報と、を含む。
【００６８】
一実施例として、伝送パターンインデックス、スケジューリング割当タイミングウィンドウ情報、データタイミングウィンドウ情報は、無線リソース制御（ＲＲＣ）シグナリングによって搬送される。
【００６９】
一例において、受信ユニット３１０は、デバイス・トウ・デバイス（Ｄ２Ｄ）スケジューリング割当およびＤ２ＤデータをＵＥが送信するために用いられる、基地局によって割り当てられたリソースを示すリソース設定情報を、基地局から受信する。前記リソース設定情報は、Ｄ２Ｄスケジューリング割当をＵＥが送信するために用いられるリソースを示すスケジューリング割当リソース指示と、Ｄ２Ｄスケジューリング割当と対応するＤ２ＤデータをＵＥが送信するために用いられるリソースを示すデータリソース指示と、を含む。
【００７０】
選択してもよい構成として、ＵＥ３００は、前記リソース設定情報によって示されたリソースに基づき、Ｄ２Ｄスケジューリング割当およびＤ２Ｄデータを送信する送信ユニットをさらに含む。
【００７１】
実施例において、スケジューリング割当リソース指示は、Ｄ２Ｄスケジューリング割当をＵＥが送信するために用いられるスケジューリング割当用タイミングウィンドウのサイズを示すスケジューリング割当タイミングウィンドウ情報を含む。
【００７２】
実施例において、前記データリソース指示は、Ｄ２Ｄデータを搬送する１つ又は複数のメディアアクセス制御（ＭＡＣ）プロトコルデータユニット（ＰＤＵ）をＵＥが送信するために用いられるデータ用タイミングウィンドウのサイズを示すデータタイミングウィンドウ情報と、データ用タイミングウィンドウ内においてＵＥによって送信されるＭＡＣ  ＰＤＵの数を示すデータ量指示情報と、データ用タイミングウィンドウ内においてＵＥによって送信される隣り合うＭＡＣ  ＰＤＵ同士間の間隔を示す伝送間隔情報と、データ用タイミングウィンドウ内においてＵＥによって送信される各々のＭＡＣ  ＰＤＵが占用するサブフレームの数を示す伝送数情報と、データ用タイミングウィンドウ内においてＵＥによって送信される各々のＭＡＣ  ＰＤＵが占用するサブフレームの位置を示す伝送パターン情報と、を含む。
【００７３】
実施例において、スケジューリング割当タイミングウィンドウ情報、データタイミングウィンドウ情報、データ量指示情報、伝送間隔情報、伝送数情報および伝送パターン情報は、無線リソース制御（ＲＲＣ）シグナリングによって搬送される。
【００７４】
実施例において、前記伝送間隔情報は、データ用タイミングウィンドウ内においてＵＥによって送信される隣り合うＭＡＣ  ＰＤＵ同士間の間隔を示す候補伝送間隔を１つ又は複数含む候補伝送間隔セットと、候補伝送間隔セット内における、ＵＥが使用すべき候補伝送間隔のインデックスを示す伝送間隔インデックスと、を含む。前記伝送数情報は、データ用タイミングウィンドウ内においてＵＥによって送信される各々のＭＡＣ  ＰＤＵが占用するサブフレームの数を示す候補伝送数を１つ又は複数含む候補伝送数セットと、候補伝送数セット内における、ＵＥが使用すべき候補伝送数のインデックスを示す伝送数インデックスと、を含む。前記伝送パターン情報は、データ用タイミングウィンドウ内においてＵＥによって送信される各々のＭＡＣ  ＰＤＵが占用するサブフレームの位置を示す候補伝送パターンを１つ又は複数含む候補伝送パターンセットと、候補伝送パターンセット内における、ＵＥが使用すべき候補伝送パターンのインデックスを示す伝送パターンインデックスと、を含む。
【００７５】
実施例において、スケジューリング割当タイミングウィンドウ情報、データタイミングウィンドウ情報、データ量指示情報、候補伝送間隔セット、候補伝送数セットおよび候補伝送パターンセットは、無線リソース制御（ＲＲＣ）シグナリングによって搬送される。伝送間隔インデックス、伝送数インデックスおよび伝送パターンインデックスは、下り制御情報（ＤＣＩ）フォーマット０における情報ビットによって搬送される。
【００７６】
図４は、本発明の実施例に係るＵＥに対応する方法４００のフローチャートである。前記ＵＥ３００の実施例を参照して説明したすべての特徴は、以下の方法の実施例にも適用可能である。方法４００は、前記ＵＥ３００によって実行されてもよく、以下のステップを含む。
【００７７】
ステップＳ４１０では、基地局からリソース設定情報を受信する。リソース設定情報は、すべての候補伝送パターンからなるセット内における、ＵＥがＤ２ＤデータをＤ２Ｄデータ用タイミングウィンドウ内において伝送するために使用すべき候補伝送パターンのインデックスを示す伝送パターンインデックスと、Ｄ２Ｄスケジューリング割当をＵＥが送信するために用いられるスケジューリング割当用タイミングウィンドウのサイズを示すスケジューリング割当タイミングウィンドウ情報と、Ｄ２ＤデータをＵＥが送信するために用いられるデータ用タイミングウィンドウのサイズを示すデータタイミングウィンドウ情報と、を含む。
【００７８】
一実施例として、伝送パターンインデックス、スケジューリング割当タイミングウィンドウ情報、データタイミングウィンドウ情報は、無線リソース制御（ＲＲＣ）シグナリングによって搬送される。
【００７９】
一例において、ステップＳ４１０では、デバイス・トウ・デバイス（Ｄ２Ｄ）スケジューリング割当およびＤ２ＤデータをＵＥが送信するために用いられる、基地局によって割り当てられたリソースを示すリソース設定情報を、基地局から受信する。前記リソース設定情報は、Ｄ２Ｄスケジューリング割当をＵＥが送信するために用いられるリソースを示すスケジューリング割当リソース指示と、Ｄ２Ｄスケジューリング割当と対応するＤ２ＤデータをＵＥが送信するために用いられるリソースを示すデータリソース指示と、を含む。
【００８０】
一例において、選択してもよい構成として、方法４００は、前記リソース設定情報によって示されたリソースに基づき、Ｄ２Ｄスケジューリング割当およびＤ２Ｄデータを送信するステップをさらに含む。
【００８１】
実施例において、スケジューリング割当リソース指示は、Ｄ２Ｄスケジューリング割当をＵＥが送信するために用いられるスケジューリング割当用タイミングウィンドウのサイズを示すスケジューリング割当タイミングウィンドウ情報を含む。
【００８２】
実施例において、前記データリソース指示は、Ｄ２Ｄデータを搬送する１つ又は複数のメディアアクセス制御（ＭＡＣ）プロトコルデータユニット（ＰＤＵ）をＵＥが送信するために用いられるデータ用タイミングウィンドウのサイズを示すデータタイミングウィンドウ情報と、データ用タイミングウィンドウ内においてＵＥによって送信されるＭＡＣ  ＰＤＵの数を示すデータ量指示情報と、データ用タイミングウィンドウ内においてＵＥによって送信される隣り合うＭＡＣ  ＰＤＵ同士間の間隔を示す伝送間隔情報と、データ用タイミングウィンドウ内においてＵＥによって送信される各々のＭＡＣ  ＰＤＵが占用するサブフレームの数を示す伝送数情報と、データ用タイミングウィンドウ内においてＵＥによって送信される各々のＭＡＣ  ＰＤＵが占用するサブフレームの位置を示す伝送パターン情報と、を含む。
【００８３】
実施例において、スケジューリング割当タイミングウィンドウ情報、データタイミングウィンドウ情報、データ量指示情報、伝送間隔情報、伝送数情報および伝送パターン情報は、無線リソース制御（ＲＲＣ）シグナリングによって搬送される。
【００８４】
実施例において、前記伝送間隔情報は、データ用タイミングウィンドウ内においてＵＥによって送信される隣り合うＭＡＣ  ＰＤＵ同士間の間隔を示す候補伝送間隔を１つ又は複数含む候補伝送間隔セットと、候補伝送間隔セット内における、ＵＥが使用すべき候補伝送間隔のインデックスを示す伝送間隔インデックスと、を含む。前記伝送数情報は、データ用タイミングウィンドウ内においてＵＥによって送信される各々のＭＡＣ  ＰＤＵが占用するサブフレームの数を示す候補伝送数を１つ又は複数含む候補伝送数セットと、候補伝送数セット内における、ＵＥが使用すべき候補伝送数のインデックスを示す伝送数インデックスと、を含む。前記伝送パターン情報は、データ用タイミングウィンドウ内においてＵＥによって送信される各々のＭＡＣ  ＰＤＵが占用するサブフレームの位置を示す候補伝送パターンを１つ又は複数含む候補伝送パターンセットと、候補伝送パターンセット内における、ＵＥが使用すべき候補伝送パターンのインデックスを示す伝送パターンインデックスと、を含む。
【００８５】
実施例において、スケジューリング割当タイミングウィンドウ情報、データタイミングウィンドウ情報、データ量指示情報、候補伝送間隔セット、候補伝送数セットおよび候補伝送パターンセットは、無線リソース制御（ＲＲＣ）シグナリングによって搬送される。伝送間隔インデックス、伝送数インデックスおよび伝送パターンインデックスは、下り制御情報（ＤＣＩ）フォーマット０における情報ビットによって搬送される。
【００８６】
基地局１００について以上に詳述されたスケジューリング割当リソース指示およびデータリソース指示に関するすべての構成は、上記方法２００、ＵＥ３００および方法４００にも適用可能である。
【００８７】
本発明の実施例によれば、基地局は、Ｄ２Ｄスケジューリング割当およびＤ２ＤデータをＵＥが送信するために用いられるリソースを割り当て、割り当てたリソースを示すリソース設定情報をＵＥに送信する。リソース設定情報は、Ｄ２Ｄスケジューリング割当をＵＥが送信するために用いられるリソースを示すスケジューリング割当リソース指示と、Ｄ２Ｄスケジューリング割当と対応するＤ２ＤデータをＵＥが送信するために用いられるリソースを示すデータリソース指示と、を含む。これと対応するように、ＵＥは、基地局からリソース設定情報を受信し、リソース設定情報によって示されたリソースに基づき、Ｄ２Ｄスケジューリング割当およびＤ２Ｄデータを送信する。このように、本発明は、Ｄ２Ｄスケジューリング割当およびＤ２ＤデータをＵＥが送信するために用いられるリソースを制御する新たなスキームを提供する。
【００８８】
当業者に理解されるように、本発明の上記実施例は、ソフトウェア、ハードウェア、またはソフトウェアとハードウェアとの組合せにより実現可能である。例えば、上記実施例の基地局およびユーザ機器内の各アセンブリは、各種のデバイスにより実現され得る。これらのデバイスとしては、アナログ回路デバイス、デジタル回路デバイス、デジタル信号処理（ＤＳＰ）回路、プログラマブルプロセッサ、専用集積回路（ＡＳＩＣ）、フィールド・プログラマブル・ゲートアレイ（ＦＰＧＡ）、プログラマブル・ロジックデバイス（ＣＰＬＤ）などを含むが、これらに限定されない。
【００８９】
本明細書において、「基地局」とは、比較的に大きな放射パワーおよび広いカバレッジを有するモバイル通信データスイッチングセンターおよび制御スイッチングセンターを指し、例えばリソーススケジューリング割当機能やデータ送受信機能などを備える。また、「ユーザ機器」とは、モバイル型ユーザ端末を指し、例えば携帯電話、ノート型コンピュータなど、基地局またはフェムトセルと無線通信できる端末機器を含む。
【００９０】
また、以上に説明した本発明の実施例は、コンピュータプログラム製品によって実現可能である。より具体的には、該コンピュータプログラム製品とは、符号化されたコンピュータプログラムロジックを記録したコンピュータ読み取り可能な記録媒体を備える製品であって、該コンピュータプログラムロジックがコンピュータ機器によって実行されることで、本発明の上記構成を実現する関連処理が行われる製品である。また、該コンピュータプログラムロジックは、コンピューティングシステムにおける少なくとも１つのプロセッサによって実行されると、本発明の実施例に記載の処理（方法）が実行されるようになる。本発明の上記構成に供される代表的なものとしては、例えば、光学媒体（例えばＣＤ−ＲＯＭ）、フロッピ（登録商標）またはハードディスクのようなコンピュータ読み取り可能な記録媒体上に記録、符号化されたソフトウェア、コードおよび／または他のデータ構成；或いは、１つまたは複数のＲＯＭ、ＲＡＭ若しくはＰＲＯＭチップ上の固定素子や、マイクロコードによる他の媒体；或いは、１つまたは複数のモジュール内のダウンロード可能なソフトウェア画像、共有データベース等が挙げられる。また、ソフトウェア、固定素子または上記構成をコンピューティング機器に設け、本発明の実施例に記載の技術的構成をコンピューティング機器内の１つまたは複数のプロセッサに実行させてもよい。
【００９１】
以上、本発明の好ましい実施形態を例示しつつ、本発明について説明したが、当業者に理解されるように、本発明の精神および範囲から逸脱しない限り、本発明に対して種々の改修、置換および変更を行うことが可能である。したがって、本発明は、上述した実施例に限定されず、添付される特許請求の範囲およびその均等的ものによって限定されるべきである。
【図面の簡単な説明】
【００９２】
【図１】本発明の一実施例に係る基地局のブロック図である。
【図２】本発明の一実施例に係る基地局に対応する方法のフローチャートである。
【図３】本発明の一実施例に係るＵＥのブロック図である。
【図４】本発明の一実施例に係るＵＥに対応する方法のフローチャートである。
【図１】
0006691875.tif 000003
【図２】
0006691875.tif 000004
【図３】
0006691875.tif 000005
【図４】
0006691875.tif 000006